(57)【要約】      （修正有）【課題】トランシーバモジュールにおいて使用される光ファイバコネクタ解除機構において、優れた剛性と解除安定性を得ること。【解決手段】この解除機構はカム付きベイルにより作動される摺動ハンドルを備える。ベイルがロック位置から解除されると、ベイルは約４５度の弧を描いて回転して第１ステージに入る。ベイルが４５度以上に回転して第２ステージに入ると、第１の軸ピンと第２の軸ピンとの協働により、ハンドルはトランシーバモジュール上の摺動路内を前進するように付勢される。ハンドルが前進すると、一対の摺動アームの最後端に位置する楔要素は、ケージアッセンブリのロックタブと接触する。ハンドルが摺動路内を前進すると、楔要素はロックタブを外側に押し出す。ロックタブが外側に押し出されると、トランシーバモジュールの肩部の固着状態は解除され、トランシーバモジュールはケージアッセンブリの外側に自由に摺動可能となる。【選択図】  図１
2006276468.tif 000002
【特許請求の範囲】
【請求項１】
ケージアッセンブリに収容されるトランシーバモジュールに対して使用される光ファイバコネクタ解除機構であって、
摺動ハンドルと、回転ベイルとを備え、
前記回転ベイルが、前記ハンドル内の偏心カムスロットに受容される第１の軸ピンと前記ハンドル内の直線状の第２のスロットに受容される第２の軸ピンとによって前記ハンドルに取り付けられており、
前記トランシーバモジュールが、前記ケージアッセンブリの側面から内側に突出する少なくとも１つのロックタブによって前記ケージアッセンブリ内に定位置に保持され、前記ロックタブが、トランシーバモジュールハウジングの側面に形成された摺動路に受容されるものであり、
前記ハンドルが、前記摺動路に受容される一対のアームを備え、該アームは、その先端に楔要素を備え、
前記解除機構がロック位置にあるとき、前記ハンドルが、前記摺動路内の最後方位置におかれ、前記少なくとも１つのロックタブが前記摺動路内に突出して前記トランシーバモジュールを固着するものであり、
前記ベイルが解除位置まで回転するとき、前記ハンドルが、前記摺動路の前方位置まで移動して、前記楔要素が前記少なくとも１つのロックタブを押圧して、前記少なくとも１つのロックタブを前記摺動路外に移動させ、それにより前記トランシーバモジュールを前記ケージアッセンブリから解除するようになっている、解除機構。
【請求項２】
前記楔要素それぞれが角度のついた表面と台地状部とを備える、請求項１記載の解除機構。
【請求項３】
前記楔要素それぞれが弓状の表面と台地状部とを備える、請求項１記載の解除機構。
【請求項４】
前記ベイルが、当該ベイルから突出するタブを含み、該タブが、前記ハンドルから突出するボスを受容するスロットを画定し、これにより、前記ベイルがロック位置にあるとき該ベイルは固着されるように構成されている、請求項１記載の解除機構。
【請求項５】
前記ベイルが、２つのステージ走行路内を移動し、前記第１の軸ピンが前記カムスロットの第１ステージを走行移動するとき、前記トランシーバモジュールを挿入位置から移動させることなくベイルが約４５度の弧を描いてロック位置から回転し、前記第１の軸ピンが前記カムスロットの第２ステージを移動するとき、前記ベイルが更に回転するようになっている、請求項１記載の解除機構。
【請求項６】
前記ベイルが、約４５度の弧を描いてロック位置から移動するときトランシーバモジュールが挿入位置内にとどまり、前記トランシーバモジュールのプラグベイにプラグが挿入されている場合には前記ベイルは、前記４５度の弧を完全に描くことができないようになっている、請求項１記載の解除機構。
【請求項７】
ケージアッセンブリに収容されるトランシーバモジュールに対して使用される光ファイバコネクタ解除機構であって、
摺動ハンドルと、回転ベイルとを備え、
前記回転ベイルが、当該回転ベイルから突出するタブを含み、当該のタブは、前記ハンドルから突出するボスを受容するスロットを画定し、これにより、該回転ベイルがロック位置にあるとき該ベイルは固着されるように構成されており、
前記トランシーバモジュールが、前記ケージアッセンブリの側面から内側に突出する少なくとも１つのロックタブによって前記ケージアッセンブリ内に定位置に保持され、前記ロックタブが、トランシーバモジュールハウジングの側面に形成された摺動路に受容されるものであり、
前記ハンドルが、前記摺動路に受容される一対のアームを備え、該アームが、その先端に楔要素を有し、
前記解除機構がロック位置にあるとき、前記ハンドルが、前記摺動路内の最後方位置におかれ、前記少なくとも１つのロックタブが前記摺動路内に突出して前記トランシーバモジュールを固着するものであり、
前記ベイルが、解除位置まで回転するとき、前記ハンドルが、前記摺動路の前方位置まで移動して、前記楔要素が前記少なくとも１つのロックタブを押圧して、前記少なくとも１つのロックタブを前記摺動路外に移動させ、それにより前記トランシーバモジュールを前記ケージアッセンブリから解除するようになっている、解除機構。
【請求項８】
前記楔要素のそれぞれが角度のついた表面と台地状部とを備える、請求項８記載の解除機構。
【請求項９】
前記楔要素のそれぞれが弓状の表面と台地状部とを備える、請求項８記載の解除機構。
【請求項１０】
前記ベイルが、前記ハンドル内の偏心カムスロットに受容される第１の軸ピンと前記ハンドル内の直線状の第２のスロットに受容される第２の軸ピンとによって前記ハンドルに取り付けられている、請求項８記載の解除機構。
【請求項１１】
前記ベイルが２つのステージ走行路を有し、前記第１の軸ピンが前記カムスロットの第１ステージに移動するとき、前記送受信機を挿入位置から移動させることなくベイルが約４５度の弧を描いてロック位置から回転し、前記第１の軸ピンが前記カムスロットの第２ステージを移動するとき、前記ベイルは、更に回転するようになっている、請求項１１記載の解除機構。
【請求項１２】
前記ベイルが、約４５度の弧を描いてロック位置から移動するとき前記トランシーバモジュールが挿入位置内にとどまり、前記トランシーバモジュールのプラグベイにプラグが挿入されている場合には前記ベイルは、前記４５度の弧を完全に描くことができないようになっている、請求項８記載の解除機構。
【発明の詳細な説明】
【発明の分野】
【０００１】
本発明は、電子コネクタデバイス技術全般に関し、特に光ファイバコネクタ解除機構に関する。
【背景技術の説明】
【０００２】
コンピュータとその関連周辺機器、並びに衛星通信の各システムは、近年非常に急速に発達を遂げている。これらのシステムにおいては、デジタル信号処理、画像解析、通信など、システムを駆動する高度に複雑なタスクを行うために、必要なデータ転送速度がますます増大している。このような現在のニーズにもとづき、コンピュータ間、１台のコンピュータ内の２つの回路基板間、更には単一プリント基板上の複数のチップ間において、短距離及び長距離に渡って信号を送るために光カプラが使用されている。電気配線に代わる高速光信号の使用によって、達成可能なデータ転送速度は増大する。
【０００３】
光トランシーバモジュールには通常、面発光レーザ（ＶＣＳＥＬ）などの発光要素と、光ダイオードなどの光検出要素との両方が含まれている。通常、特定用途向け集積回路（ＡＳＩＣ）チップの形態をとるドライバ／レシーバ回路モジュールには、１つの要素から電気信号を受け取り、それに応じてＶＣＳＥＬを駆動するドライバ回路が含まれている。またＡＳＩＣには、光ダイオードから信号を受け取り、それに応じてこれらの信号を処理して適切な出力に変えるレシーバ回路が含まれている。ＶＣＳＥＬと光ダイオードとＡＳＩＣ回路との組み合わせは、一般に光トランシーバと呼ばれている。
【０００４】
光アレイ密度の増大に伴い、光ファイバケーブルをアレイに接続する作業はますます複雑になっている。各エミッタや各デテクタの動作領域を光ファイバ束の対応する１本のファイバに位置合せすることは非常に重要である。したがって、これに伴い機械的接続手段の重要性も増している。したがって、現在の技術において、光ファイバコネクタは大きな関心を集めている。したがって、かかるコネクタの製造における信頼性と容易性を改良することは常に歓迎されるものである。
【０００５】
本発明の主題である用途においては、一対のＬＣ型プラグは、ＰＣＢに恒久的に取り付けられたケージアッセンブリに収容される光ファイバトランシーバモジュール内の一対のベイに収容される。データ保全性のためには、データの送受信中にコネクタ手段がＬＣプラグを定位置に保持することが不可欠である。ユーザがトランシーバモジュールをケージから取り外したいとき、ＬＣプラグが使用中であるかどうか分かることも同じく重要である。
【発明の概要】
【０００６】
したがって、本発明は、優れた剛性と解除安定性を得るため一体構造で形成された解除ハンドルを有するコネクタを提供することを目的とする。
【０００７】
更に、本発明は、製造が非常に簡単な解除機構を提供することを目的とする。
【０００８】
更に、本発明は、ＬＣプラグが定位置にある間にトランシーバモジュールが不注意に取り外されることのないよう極めて簡単にフールプルーフに確認できるようにすることを目的とする。
【０００９】
本発明は、光ファイバコネクタ解除機構である。この解除機構は、プリント基板に恒久的に取り付けられるケージアッセンブリに収容されるトランシーバモジュールにおいて使用される。解除機構は、カム付きベイル（ｂａｉｌ）により動作する摺動ハンドルを備える。カム付きベイルは、２つのステージ走行路（ステージ）を有する。ベイルがロック位置から解除されると、ベイルは約４５度の弧を描いて回転してカムスロットの第１ステージに入る。ＬＣプラグがトランシーバモジュールから取り外されていないかぎり、ベイルはこの第１の弧を完全に描くことができない。
【００１０】
ベイルが４５度以上に回転してカムスロットの第２ステージに入ると、ハンドルにおいてカムスロットに取り付けられた第１の軸ピンと直線状の第２のスロットに取り付けられた第２の軸ピンとの協働により、ハンドルはトランシーバモジュール上の摺動路内を前進する。ハンドルが前進を開始すると、ハンドルから後方に延びる一対の摺動アームの最後端に位置する楔要素は、トランシーバモジュール本体上の開口部を受けるロックタブの肩部に固着されているケージアッセンブリのロックタブと接触する。ハンドルが摺動路内を前進するのに伴い、楔要素はロックタブを外側に押し出す。ロックタブが外側に押し出されると、トランシーバモジュールの肩部の固着状態は解除され、オペレータがハンドルを引くと、トランシーバモジュールはケージアッセンブリの外側に自由に摺動可能となる。
【００１１】
本発明の利点は、一体型構造ハンドルによって、従来技術の多部品ハンドル構造から得られる安定性よりも更に大きな安定性が提供されることである。
【００１２】
本発明の他の利点は、本発明によって、トランシーバモジュールが時期尚早に取り外されることがないよう、予防手段が得られることである。
【００１３】
以下に記載され図面に示されている現在既知である発明実施の最良の形態の記載内容を参照すれば、当業者には本発明の上記の並びに他の目的や利点が明らかになるであろう。
【発明の詳細説明】
【００１４】
本発明は、図１〜４に示した光ファイバコネクタ解除機構である。この解除機構は、通常プリント基板に恒久的に取り付けられるケージアッセンブリ１２に収容されるトランシーバモジュール１０において使用される。解除機構は、カム付きベイル１６により作動される摺動ハンドル１４を備える。トランシーバモジュール１０は、ケージ１２の側面から内側に突出する一対のロックタブ１２１によって、ケージ１２内に固定される。ロックタブ１２１は、トランシーバモジュールハウジング１０３の側面に形成された摺動路１０１に収容される。トランシーバモジュール１０がケージ１２に挿入されると、トランシーバモジュールハウジング１０３の平坦部１０２はロックタブ１２１を押圧する。トランシーバモジュール１０がケージアッセンブリ１２内の適切な位置にくると、ロックタブ１２１は反発して、モジュールハウジング１０３の各側面上の摺動路１０１内に入り、摺動路１０１の後端に位置する肩部１０４に接する。したがって、トランシーバモジュール１０は、ロックタブ１２１が定位置にあるとき、ケージアッセンブリ１２から取り外され得ない。
【００１５】
ハンドル１４は、摺動路１０１に収容される延設アーム１４１によってモジュールハウジング１０３に取り付けられる。ハンドル１４は、一対のＬＣプラグベイ１０６の上方にある当接部１０５の後方に位置決めされる。当接部１０５は、モジュールハウジング１０３に対するハンドル１４の前進方向での摺動の制限を画定する。図１、２に示したようにベイル１６とハンドル１４が完全にロック位置にあるとき、当接部１０５の後端とハンドル１４の先端との間にはギャップ１８が存在する。
【００１６】
アーム１４１の後端には楔要素１４２がある。楔要素１４２にはそれぞれ、角度がついた又は弓状の表面１４２１を有し、解除機構の作動時には、この表面１４２１によって楔要素１４２がロックタブ１２１を押し上げることが可能になる。ロックタブ１２１は外側に押された後、楔要素の台地状部１４２２上に置かれる。
【００１７】
解除機構の作動要素は、ベイル１６である。ベイル１６は、ハンドル１４内の偏心カムスロット１４３に受容される第１の軸ピン１６１と、直線状の第２のスロット１４４に受容される第２の軸ピン１６２とによって、ハンドル１４に取り付けられる。ベイル１６の上面には、ユーザがベイル１６を容易に保持する手段を提供する便利な形状のフィンガプレート１６３が含まれている。ベイル１６が図１、２に示したロック位置にあるときベイル１６が固定されるよう、ベイル１６の後部から延びるタブ１６５は、ハンドル１４のテーパボス１４５を収容するスロット１６４を画定する。
【００１８】
ベイル１６の二重回転軸は、ベイル１６に２つのステージ走行路（ステージ）を提供している。ベイル１６の突起１６４がデテント１４５から取り外されてベイル１６がロック位置から解除されると、第１の軸ピン１６１はカムスロット１４３の第１ステージ１４３１を移動する。このときベイルは約４５度の弧を描いて回転する。ＬＣプラグがトランシーバモジュール１０のプラグベイ１０６から取り外されていないかぎり、ベイル１６はこの第１の弧を完全に描くことができないことに留意すべきである。この特徴によって、ＬＣプラグが定位置にある間トランシーバモジュール１０はケージアッセンブリ１２から取り外すことができないことを確実にすることによって、不慮のデータ伝送の中断を防ぐことができるようにするフェールセーフ方法が得られる。
【００１９】
第１の軸ピン１６１がカムスロット１４３の第２ステージ１４３２を移動すると、ベイル１６は４５度以上に回転する。カムスロット１４３に取り付けられた第１の軸ピン１６１と第２のスロット１４４に取り付けられた第２の軸ピン１６２との協働により、ハンドル１４はトランシーバモジュール１０上の摺動路１０１内を前進するように付勢される。ハンドルアーム１４１が前進を開始すると、楔要素１４２の角度がついた表面１４２１は、ケージアッセンブリ１２のロックタブ１２１を押圧して、タブ１２１を摺動路１０１外に移動させる。アーム１４が十分前進して台地状部１４２２がロックタブ１０１の後方に位置するとき、ロックタブ１０１は、トランシーバモジュール１０の肩部１０４と接触しない位置に置かれるので、オペレータがハンドル１４を引き続き引くと、トランシーバモジュール１０はケージアッセンブリ１２外に自由に摺動可能となる。このとき、ハンドル１４は図３、４に示した解除位置にある。この際ハンドル１４は、トランシーバモジュール１０の当接部１０５と接している。
【００２０】
上記の開示内容は、限定的なものではない。当業者は、本発明の教示内容を保有しながらデバイス技術について多くの変形及び変更を施してもよいことが容易に了解できるものである。したがって、上記の開示内容は、添付の特許請求の範囲の規定によってしか限定されないものと解釈されるべきである。
【図面の簡単な説明】
【００２１】
【図１】ケージアッセンブリに挿入された本発明に係る解除機構を有するトランシーバモジュールの斜視図である。
【図２】ケージアッセンブリから取り外され、ベイルとハンドルがそれぞれロック位置にあるトランシーバモジュールの斜視図である。
【図３】ベイルとハンドルがそれぞれ解除位置にあるトランシーバモジュールの斜視図である。
【図４】ベイルとハンドルがそれぞれ解除位置にあるトランシーバモジュールの側面図である。
【符号の説明】
【００２２】
１０…トランシーバモジュール、１２…ケージアッセンブリ（ケージ）、１４…ハンドル、１６…ベイル、１８…ギャップ、１０１…摺動路、１０２…平坦部、１０３…モジュールハウジング、  １０４…肩部、１０５…当接部、１０６…プラグベイ、１２１…タブ、１４１…アーム、１４２…楔要素、１４３…カムスロット、１４４…第２のスロット、１４５…テーパボス（デテント）、１６１…第１の軸ピン、１６２…第２の軸ピン、１６３…フィンガプレート、１６４…スロット、１６５…タブ、１４３１…第１ステージ（走行路）、１４３２…第２ステージ（走行路）。
【図１】
2006276468.tif 000003
【図２】
2006276468.tif 000004
【図３】
2006276468.tif 000005
【図４】
2006276468.tif 000006
【外国語明細書】
2006276468000001.pdf